(57)【要約】【課題】  PDAや携帯電話では表示画面が小さいために、大きなコンテンツを一度に表示することができない。閲覧しつつコンテンツの操作・編集するために、スクロールと指示操作を交互に頻繁に繰り返す必要がある。【解決手段】  PDA等の手のひらが当たる部分にタッチセンサ１２を取り付ける。スクロールと指示操作をシームレスに切り替えるインタフェースを提案する。机に置いた紙片を手のひらで押さえて文字を書くことがある。押さえないと紙が動いてしまうからである。この文鎮メタファーを適用して、手のひらがタッチセンサ１２に触れている間は文字入力等のコンテンツ操作が可能であり（図４（ｂ））、手のひらが離れている時にコンテンツをドラッグするとスクロールする（図４（ａ））。【選択図】              図４
2007233649.tif 000002
【特許請求の範囲】
【請求項１】
液晶表示装置などの表示装置と、前記表示装置の表面に設けられ、ペン又は指で指された位置を検知する機構をもつ平板状の入力装置であるタブレットと、前記タブレットの周囲に設けられ、前記タブレットを操作する者の手のひらを検知するセンサと、前記表示装置、前記タブレット及び前記センサに接続された処理部とを備え、
前記センサは、前記タブレットを操作する者から見て前記タブレットの手前側であって、前記タブレットを操作するときにその者の手のひらが当たる位置に設けられ、前記タブレットを操作する者の手のひらが押し付けられたときにこれを検知するものであり、
前記処理部は、前記タブレットを操作する者の手のひらが前記センサに押し付けられたかどうかに応じて、実行する処理を切り替えることを特徴とする情報機器。
【請求項２】
さらに、前記センサの前記タブレットを挟んだ反対側であって、前記タブレットを反対側から操作するときにその者の手のひらが当たる位置に設けられ、前記タブレットを反対側から操作する者の手のひらが押し付けられたことを検知する第２センサを備え、
前記処理部は、前記タブレットを反対側から操作する者の手のひらが前記第２センサに押し付けられたかどうかに応じて、実行する処理を切り替えることを特徴とする情報機器。
【請求項３】
入力装置であるキーボードと、ペン又は指で指された位置を検知する機構をもつ平板状の入力装置であるタブレットと、前記タブレットの周囲に設けられ、前記タブレットを操作する者の手のひらを検知するセンサと、前記キーボード、前記タブレット及び前記センサに接続された処理部とを備え、
前記センサは、前記タブレットを操作する者から見て前記キーボード及び前記タブレットの手前側であって、前記タブレットを操作するときにその者の手のひらが当たるが、前記キーボードを操作するときにその者の手のひらが当たらない位置に設けられ、前記タブレットを操作する者の手のひらが押し付けられたときにこれを検知するものであり、
前記処理部は、前記タブレットを操作する者の手のひらが前記センサに押し付けられたかどうかに応じて、実行する処理を切り替えることを特徴とする情報機器。
【請求項４】
ペン又は指で指された位置を検知する機構をもつ平板状の入力装置であるタブレットと、前記タブレットの周囲に設けられ、前記タブレットを操作する者の手のひらを検知するセンサとを備え、前記センサは、前記タブレットを操作する者から見て前記タブレットの手前側であって、前記タブレットを操作するときにその者の手のひらが当たる位置に設けられ、前記タブレットを操作する者の手のひらが押し付けられたときにこれを検知することを特徴とする情報機器において処理を切り替えるためのプログラムであって、
前記タブレットを操作する者の手のひらが前記センサに押し付けられたかどうかを判定するステップと、
前記タブレットを操作する者の手のひらが前記センサに押し付けられていると判定したときに、表示内容の編集処理を実行するステップと、
前記タブレットを操作する者の手のひらが前記センサに押し付けられていないと判定したときに、スクロールを含む画面の移動処理を実行するステップと、をコンピュータに実行させるためのプログラム。
【請求項５】
ペン又は指で指された位置を検知する機構をもつ平板状の入力装置であるタブレットと、前記タブレットの周囲に設けられ、前記タブレットを操作する者の手のひらを検知するセンサとを備え、前記センサは、前記タブレットを操作する者から見て前記タブレットの手前側であって、前記タブレットを操作するときにその者の手のひらが当たる位置に設けられ、前記タブレットを操作する者の手のひらが押し付けられたときにこれを検知することを特徴とする情報機器において処理を切り替えるためのプログラムであって、
前記タブレットを操作する者の手のひらが前記センサに押し付けられたかどうかを判定するステップと、
前記タブレットを操作する者の手のひらが前記センサに押し付けられていると判定したときに、画面の表示画像の拡大又は縮小処理を実行するステップと、
前記タブレットを操作する者の手のひらが前記センサに押し付けられていないと判定したときに、スクロールを含む画面の移動処理を実行するステップと、をコンピュータに実行させるためのプログラム。
【請求項６】
ペン又は指で指された位置を検知する機構をもつ平板状の入力装置であるタブレットと、前記タブレットの周囲に設けられ、前記タブレットを操作する者の手のひらを検知するセンサとを備え、前記センサは、前記タブレットを操作する者から見て前記タブレットの手前側であって、前記タブレットを操作するときにその者の手のひらが当たる位置に設けられ、前記タブレットを操作する者の手のひらが押し付けられたときにこれを検知することを特徴とする情報機器において画面の輝度又は画面の照明の明るさを調整するためのプログラムであって、
前記タブレットを操作する者の手のひらが前記センサに押し付けられたかどうかを判定するステップと、
前記タブレットを操作する者の手のひらが前記センサに押し付けられていると判定したときに、画面の輝度又は画面の照明の明るさを低下させるステップと、をコンピュータに実行させるためのプログラム。
【発明の詳細な説明】
【技術分野】
【０００１】
この発明は、ノートパソコン、ＰＤＡ（personal digital assistant）や携帯電話のような情報機器に関し、特に入力デバイスとしてタブレットを備える情報機器及びタブレット使用時の処理切り替えプログラムに関する。
【背景技術】
【０００２】
携帯コンピュータの画面の周囲に指先接触位置センサを配置して、この操作によりページめくりなどを実現する手法が提案されている（非特許文献１）。
ノートパソコンのタブレットにユーザの指が接触することを利用して、キーボードの機能を切り替える手法が提案されている（非特許文献２）。
【０００３】
【非特許文献１】Hinckley, K., Pierce, J., Sinclair, M. and Horvitz, E.: Sensing techniques for mobile interaction, in UIST ’00:Proceedings of the 13th annual ACM symposium on User interface software and technology, pp. 91-100, New York, NY, USA (2000), ACM Press.
【非特許文献２】Rekimoto, J.: Thumb Sense: automatic input modesensing for touchpad-based interactions, in CHI ’03:CHI ’03 extended abstracts on Human factors in computing systems, pp. 852-853, New York, NY, USA (2003), ACM Press.
【発明の開示】
【発明が解決しようとする課題】
【０００４】
ＰＤＡや携帯電話などの小型情報機器では、表示画面が小さいために、サイズの大きなコンテンツを一度に表示することが困難な場合が多い。一般には、コンテンツの一部のみを表示して、スクロールバー操作や、コンテンツ部分のドラッグ操作等により、残りの部分をスクロール表示する手法がとられる。そのため、たとえば大型画面用にデザインされたＷＷＷコンテンツを閲覧しながら、ボタンやリンクをクリックしたり、検索などの文字入力を行ったりする場合には、コンテンツのスクロールと、コンテンツの操作・編集を交互に頻繁に繰り返す必要がある。コンテンツ操作とスクロール操作の切り替えには、スクロールバーの場合は、スクロールバーまで指示装置（ポインタ）を移動する必要があり、コンテンツ部分のドラッグでスクロールする場合は、スクロールモードへの切り替えが必要である。この種の操作が頻繁に必要になり煩雑になることが、小画面表示デバイスを操作する際の問題点となっていた。
【０００５】
すなわち、たとえば大画面のWWWコンテンツを閲覧しながら、ボタンやリンクをクリックしたり、検索などの文字入力を行ったり、大きな書類コンテンツを閲覧したり編集したりする場合には、コンテンツのスクロールと、コンテンツの操作・編集を交互に頻繁に繰り返す必要がある。
【０００６】
本発明の目的は、直感的で自然な操作で簡単に、コンテンツのスクロールのモードとコンテンツの操作・編集のモードを切り替えて操作することのできるインタフェースを実現することである。
【課題を解決するための手段】
【０００７】
この発明に係る情報機器は、液晶表示装置などの表示装置と、前記表示装置の表面に設けられ、ペン又は指で指された位置を検知する機構をもつ平板状の入力装置であるタブレットと、前記タブレットの周囲に設けられ、前記タブレットを操作する者の手のひらを検知するセンサと、前記表示装置、前記タブレット及び前記センサに接続された処理部とを備え、
前記センサは、前記タブレットを操作する者から見て前記タブレットの手前側（前記表示装置に表示される画面の下側、すなわち前記タブレットを操作する際に、その者の手が位置する側。前記タブレットを操作する者は、画面又は前記タブレットを隠さないように前記表示装置の下側に手のひらをおく。前記センサは、前記表示装置の下側であって、前記タブレットと筐体の端の間に設けられる）であって、前記タブレットを操作するときにその者の手のひらが当たる位置に設けられ、前記タブレットを操作する者の手のひらが押し付けられたときにこれを検知するものであり、
前記処理部は、前記タブレットを操作する者の手のひらが前記センサに押し付けられたかどうかに応じて、実行する処理を切り替えることを特徴とするものである。
【０００８】
さらに、前記センサの前記タブレットを挟んだ反対側であって、前記タブレットを反対側から操作するときにその者の手のひらが当たる位置に設けられ、前記タブレットを反対側から操作する者の手のひらが押し付けられたことを検知する第２センサを備え、
前記処理部は、前記タブレットを反対側から操作する者の手のひらが前記第２センサに押し付けられたかどうかに応じて、実行する処理を切り替えるようにしてもよい。
【０００９】
この発明に係る情報機器は、入力装置であるキーボードと、ペン又は指で指された位置を検知する機構をもつ平板状の入力装置であるタブレットと、前記タブレットの周囲に設けられ、前記タブレットを操作する者の手のひらを検知するセンサと、前記キーボード、前記タブレット及び前記センサに接続された処理部とを備え、
前記センサは、前記タブレットを操作する者から見て前記キーボード及び前記タブレットの手前側（前記タブレットを操作する際に、その者の手が位置する側。前記タブレットは、操作するときのその者の手がキーボードに触れないように、前記キーボードの下側に設けられる。前記センサは、さらにその下側、つまり前記タブレットと筐体の端との間に設けられる）であって、前記タブレットを操作するときにその者の手のひらが当たるが、前記キーボードを操作するときにその者の手のひらが当たらない位置に設けられ、前記タブレットを操作する者の手のひらが押し付けられたときにこれを検知するものであり、
前記処理部は、前記タブレットを操作する者の手のひらが前記センサに押し付けられたかどうかに応じて、実行する処理を切り替えることを特徴とするものである。
【００１０】
この発明は、ペン又は指で指された位置を検知する機構をもつ平板状の入力装置であるタブレットと、前記タブレットの周囲に設けられ、前記タブレットを操作する者の手のひらを検知するセンサとを備え、前記センサは、前記タブレットを操作する者から見て前記タブレットの手前側であって、前記タブレットを操作するときにその者の手のひらが当たる位置に設けられ、前記タブレットを操作する者の手のひらが押し付けられたときにこれを検知することを特徴とする情報機器において処理を切り替えるためのプログラムであって、
前記タブレットを操作する者の手のひらが前記センサに押し付けられたかどうかを判定するステップと、
前記タブレットを操作する者の手のひらが前記センサに押し付けられていると判定したときに、表示内容の編集処理を実行するステップと、
前記タブレットを操作する者の手のひらが前記センサに押し付けられていないと判定したときに、スクロールを含む画面の移動処理を実行するステップと、をコンピュータに実行させるためのものである。
【００１１】
この発明は、ペン又は指で指された位置を検知する機構をもつ平板状の入力装置であるタブレットと、前記タブレットの周囲に設けられ、前記タブレットを操作する者の手のひらを検知するセンサとを備え、前記センサは、前記タブレットを操作する者から見て前記タブレットの手前側であって、前記タブレットを操作するときにその者の手のひらが当たる位置に設けられ、前記タブレットを操作する者の手のひらが押し付けられたときにこれを検知することを特徴とする情報機器において処理を切り替えるためのプログラムであって、
前記タブレットを操作する者の手のひらが前記センサに押し付けられたかどうかを判定するステップと、
前記タブレットを操作する者の手のひらが前記センサに押し付けられていると判定したときに、画面の表示画像の拡大又は縮小処理を実行するステップと、
前記タブレットを操作する者の手のひらが前記センサに押し付けられていないと判定したときに、スクロールを含む画面の移動処理を実行するステップと、をコンピュータに実行させるためのものである。
【００１２】
この発明は、ペン又は指で指された位置を検知する機構をもつ平板状の入力装置であるタブレットと、前記タブレットの周囲に設けられ、前記タブレットを操作する者の手のひらを検知するセンサとを備え、前記センサは、前記タブレットを操作する者から見て前記タブレットの手前側であって、前記タブレットを操作するときにその者の手のひらが当たる位置に設けられ、前記タブレットを操作する者の手のひらが押し付けられたときにこれを検知することを特徴とする情報機器において処理を切り替えるためのプログラムであって、
前記タブレットを操作する者の手のひらが前記センサに押し付けられたかどうかを判定するステップと、
前記タブレットを操作する者の手のひらが前記センサに押し付けられていると判定したときに、画面の輝度又は画面の照明の明るさを低下させるステップと、をコンピュータに実行させるためのものである。
【００１３】
この発明に係るプログラムは、例えば、情報機器の内蔵不揮発メモリ、または、情報機器にプログラムをダウンロードするために用意されたサーバ、または、情報機器に接続される記録媒体に、記録される。
記録媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１４】
媒体とは、何等かの物理的手段により情報（主にデジタルデータ、プログラム）が記録されているものであって、コンピュータ、専用プロセッサ等の処理装置に所定の機能を行わせることができるものである。
【発明を実施するための最良の形態】
【００１５】
平滑な机の上に紙片を置き、片手を使って、紙片に鉛筆などで文字を書き込もうとする場合、鉛筆の先だけを紙の上に置いて動かすと、文字を書くことができず紙が机上を滑ってしまう。このような状況では、人は、手のひら（正確には手根や小指球の部分）を使って紙を押さえて固定して、文字を書くことが多い。
【００１６】
発明の実施の形態に係る装置／方法／プログラムは、このように手を使って文鎮のように紙を押さえる動作を利用して、表示コンテンツのスクロール動作と操作・編集動作を自然にモード切り替えする、文鎮メタファーを利用したインタフェースである。すなわち、人の手のひらを小型コンピュータ（例えばPDAまたは携帯電話）に押し当てる操作により（紙が押さえられるメタファーを利用して）コンテンツの操作・編集モードとし、人の手の手のひらを小型コンピュータから浮かせる操作により（紙が自由になり筆記具で移動するようになるメタファーを利用して）コンテンツのスクロールモードとする。
【００１７】
図１（ａ）に発明の実施の形態に係る情報装置の平面図を示し、同（ｂ）に側面図を示す。図２に発明の実施の形態に係る情報装置の機能ブロック図を示し、図３に同処理フローチャートを示す。図４に発明の実施の形態に係る情報処理装置の使用説明図を示す。図４（ａ）はセンサ(円内)に触れずにドラッグすることでスクロールしているところを示し、図４（ｂ）はセンサに触れることで手書きメモ入力しているところを示す。
【００１８】
１は発明の実施の形態に係る情報処理装置である。
１０は、液晶表示装置などの表示装置である。
【００１９】
１１は、液晶表示装置１０の表面に設けられ、ペン又は指で指された位置を検知する機構をもつ平板状の入力装置である公知のタブレットである。タブレット（tablet）とは、主に座標データを入力するのに使う平面状の装置のことである。位置を指示するための機構を内蔵し、位置入力装置として使用されるものである。表示される情報をペンで選択するタブレットの方式として、光座標検出方式、静電結合方式、電磁誘導方式、抵抗膜方式などの方式が色々な情報処理装置に採用されている。これら方式の中で、抵抗膜方式は座標選択時に、指で表示アイコンを選択したり、普通の鋭部を持った部材で、図形や文字が入力できるが、他の方式は、専用のスタイラスペンを必要とする。
【００２０】
１２は、タブレット１１の周囲に設けられ、タブレット１１を操作する者の手のひら（正確には手根や小指球の部分）を検知するセンサである。センサ１２は、タブレット１１を操作する者から見てタブレット１１の手前側であって（手前側は表示画像の下側に対応する。図１（ａ）において左側が表示画像の上側、右側が同下側に対応する）、タブレット１１を操作するときにその者の手のひらが当たる位置に設けられ、タブレット１１を操作する者の手のひらが押し付けられたときにこれを検知するものである（図４参照）。
【００２１】
センサ１２として、例えば、押しボタンスイッチ、静電容量又は抵抗値の変化で手のひらが押し付けられているかどうか判定するタッチセンサ、又は、光が遮られたことで手のひらが押し付けられているかどうか判定する光電センサ、などを用いることができる。
【００２２】
１３は、液晶表示装置１０、タブレット１１、センサ１２及び処理部１４を収納する筐体である。図１の例では、センサ１２は筐体１３の端に設けられているが、これは一例である。
【００２３】
１４は、液晶表示装置１０、タブレット１１及びセンサ１２に接続された処理部である。処理部１４は、ＣＰＵ、ＲＯＭ、ＲＡＭ等を備える。処理部１４は、少なくとも液晶表示装置１０の表示画面の内容を編集する編集プログラム（編集サブルーチン）Ｐ１と、表示画面をスクロールさせるなど表示位置を変更する表示プログラム（表示サブルーチン）Ｐ２とを予め備えている。処理部１４は、タブレット１１を操作する者の手のひらがセンサ１２に押し付けられたかどうかに応じて、実行する処理を切り替える。
【００２４】
すなわち、図３に示すように、処理部１４は、タブレット１１にペン又は指が接触したとき（Ｓ１０でＹＥＳ）、モード判定処理を実行する（Ｓ１１）。
【００２５】
そして、センサ１２の出力に基づき、タブレット１１を操作する者の手のひら（正確には手根や小指球の部分）がセンサ１２に押し付けられたかどうかを判定する（Ｓ１２）。手根部（しゅこんぶ）とは腕と手の間の接合部のことであり、小指球（しょうしきゅう）とは指の根部および尺骨縁に沿う手掌の隆起のことである。
【００２６】
タブレット１１を操作する者の手のひらがセンサ１２に押し付けられているとき（Ｓ１２でＹＥＳ、図４（ａ））、編集サブルーチンＰ１を呼び出し（編集プログラムＰ１を起動し）、コンテンツの操作・編集モードを実行する（Ｓ１３）。タブレット１１を操作する者の手のひらがセンサ１２に押し付けられていないとき（Ｓ１２でＮＯ、図４（ｂ））、表示サブルーチンＰ２を呼び出し（表示プログラムＰ２を起動し）、コンテンツのスクロールモードを実行する。
【００２７】
発明の実施の形態に係る装置は、図１乃至図４に示すように、タブレット１１を備えた小型情報処理装置に、手のひらが当たる部分にタッチセンサ１２を設けたものである。タッチセンサ１２の出力はコンピュータプログラムに伝達されて、タッチされていない場合にコンテンツのスクロールモード（ペンデバイスでドラッグするとコンテンツがスクロールする）とし、タッチされている場合にコンテンツの操作・編集モードに切り替える。
【００２８】
本発明の実施の形態により、例えばパーソナルコンピュータの大きな画面向けに設計されたWWWページを閲覧する場合に、手のひらをコンピュータに当てずにペンで画面をドラッグすることで上下左右に自由に表示をスクロールすることができる。一方、手のひらをコンピュータに当てることで、スクロールはしなくなり、WWWページのリンクやボタンをペンによりクリックしたり、WWWページの検索欄などに文字を入力するなどの操作を提供する。
【００２９】
本発明の実施の形態は、WWWページ以外にも、たとえば、PC画面向けに書かれた大きなワープロ書類、設計図、写真、電子カルテなどのスクロールと編集の切り替えなどに応用できる。
【００３０】
発明の実施の形態２．
タブレットPCのようなペン入力を備えたPCが一般的に利用されるようになり、対向する二名のユーザが両方向から同時にペンで操作するような利用環境のインタフェースも研究されている。このような場面でも、図５に示すように、本方式のような手のひらの接触を検出するセンサを、それぞれのユーザの場所に二カ所設置（符号１２ａと１２ｂ）することで、どちらのユーザが画面の操作をしているのかを検出することができる。これにより、どちらのユーザの書き込みであるかを判定して、記録するアプリケーション等が実現できる。
【００３１】
すなわち、タブレット１１を挟んだ両側にセンサ１２ａと第２センサ１２ｂを設ける。第２センサ１２ｂは、センサ１２ａのタブレットを挟んだ反対側であって、タブレット１１を反対側から操作するときにその者の手のひらが当たる位置に設けられ、タブレット１１を反対側から操作する者の手のひらが押し付けられたことを検知する。処理部１４は、タブレット１１を反対側から操作する者の手のひらが第２センサ１２ｂに押し付けられたかどうかに応じて、実行する処理を切り替える。
【００３２】
２つのセンサのどちらに手のひらが当たっているかに応じて実行する処理を切り替えるようにしてもよい。例えば、センサ１２ａ側が画面の下側で生徒が操作する側とし、第２センサ１２ｂ側が教師が操作する側とする（教師は画面を上下反対に見ることになる）。センサ１２ａで検知した場合は生徒用のプログラムを選択し実行するが、第２センサ１２ｂで検知した場合は教師用のプログラムを選択し実行する。教師用のプログラムは、書き込んだ内容を赤で表示するようになっていて、添削指導を容易に行うことができる。
【００３３】
発明の実施の形態３．
ノートPCなどでは、指先の接触位置を検出するタッチパッドと呼ばれる指示装置が用いられている。タッチパッドは通常はマウスのような相対座標入力装置として機能し、この面での指先の移動量だけ、ポインタを動かすことができる。ノートＰＣにセンサ１２を設けた例を図６に示す。
【００３４】
すなわち、入力装置であるキーボードＫＢと、ペン又は指で指された位置を検知する機構をもつ平板状の入力装置であるタブレット１１と、タブレット１１の周囲に設けられ、タブレット１１を操作する者の手のひらを検知するセンサ１２と、キーボードＫＢ、タブレット１１及びセンサ１２を制御するＣＰＵとを備えるノートＰＣにおいて、センサ１２は、タブレット１１を操作する者から見てキーボードＫＢ及びタブレット１１の手前側であって、タブレット１１を操作するときにその者の手のひらが当たるが、キーボードＫＢを操作するときにその者の手のひらが当たらない位置に設けられ、タブレット１１を操作する者の手のひらが押し付けられたときにこれを検知する。
【００３５】
ノートパソコンのＣＰＵは、タブレット１１を操作する者の手のひらがセンサ１２に押し付けられたかどうかに応じて、実行する処理（コンテンツの操作・編集モードと、コンテンツのスクロールモードのいずれか）を切り替える（図３参照）。
【００３６】
本発明の実施の形態をタブレットに適応することで、手のひらが当たっていない場合は、通常通りの相対座標入力装置として機能し、手のひらが当たっている場合には、絶対座標入力装置として機能させることができる。これにより、たとえば、手のひらを触れた状態で、タッチパッドに文字を書くことで、文字認識を行うことで文字入力を行うなどの機能を実装することが可能になる。
【００３７】
発明の実施の形態４．
写真ブラウザにおいては、手のひらで押下されたことで写真の一部が固定されたと考えれば、その状態でのペンによるドラッグ操作は固定された点を中心とした回転操作と考えることもできる。また、固定された点とペンでドラッグする点の距離が変化することから、写真が薄いゴム板のような性質を持っていると考えれば、写真の拡大／縮小操作とも考えられる。そこで、センサ１２にタッチした場合には回転や拡大／縮小モードとし、タッチしない場合にはスクロールモードとすることも考えられる（図７参照）。
【００３８】
発明の実施の形態５．
携帯用情報処理装置は公共の場に携帯されて利用されることも多い。そのため、住所や電話番号など個人情報を記入していたり、メールの文をつくっていたりなど、他の人に画面を見られたくない場合もある。そこで入力しているとき（タッチしているとき）に、バックライトの照度を下げる、又は輝度やコントラストを下げる等の仕組みを機能させ、のぞき防止用の画面とすることも可能である（図８参照）。
【００３９】
本発明の実施の形態に適する用途として次のようなものが挙げられる。
・写真／文書／設計図／カルテなどの閲覧とメモ書き
・写真のスクロール／回転／拡大縮小
・WWWの閲覧と操作
・覗き見防止
・多人数の利用
・タッチパッドの活用
・小型タブレットの活用
【００４０】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００４１】
【図１】図１（ａ）は発明の実施の形態１に係る情報装置の平面図、同（ｂ）は側面図である。
【図２】発明の実施の形態１係る情報装置の機能ブロック図である。
【図３】発明の実施の形態１に係る情報装置の処理フローチャートである。
【図４】発明の実施の形態１に係る情報処理装置の使用説明図である。
【図５】発明の実施の形態２に係る情報処理装置の斜視図である。
【図６】発明の実施の形態３に係る情報処理装置の斜視図である。
【図７】発明の実施の形態４に係る情報装置の処理フローチャートである。
【図８】発明の実施の形態５に係る情報装置の処理フローチャートである。
【符号の説明】
【００４２】
１    携帯用情報機器
１０  液晶表示装置
１１  タブレット
１２  センサ
１３  筐体
１４  処理部
【図１】
2007233649.tif 000003
【図２】
2007233649.tif 000004
【図３】
2007233649.tif 000005
【図４】
2007233649.tif 000006
【図５】
2007233649.tif 000007
【図６】
2007233649.tif 000008
【図７】
2007233649.tif 000009
【図８】
2007233649.tif 000010